(57)【要約】  本装置は、時計ケース（３）のボア（２）内に打ち込まれた支持パイプ（１）と、ヘッド（５）と移動可能な状態でパイプ（１）内に取付けられた延長部（６）とで構成されたプッシュ片形竜頭（４）と、時計の巻き及び設定ステム（１２）と一体になった回転を伝導する部品（１０）と、延長部（６）及び伝導部品（１０）を一緒に回転移動させると同時に引出し方向に並進移動させる結合手段（１３〜１６）と、竜頭ヘッド（５）と伝導部品（１０）との間に配置された第１の軸方向スプリング（１７）と、竜頭ヘッド（５）とパイプ（１）との間に配置された第２の軸方向スプリング（１８）とを含む。第１のスプリング（１７）は、竜頭（４）の設定位置から巻き位置への変化の間にステム（１２）によって生じる抵抗力に打ち勝つのに十分な大きさの力を作用させる。第２のスプリング（１８）は、竜頭（４）をその押下げ位置からその巻き位置に戻す主復元力を作用させる。
2007509339.tif 000002
【特許請求の範囲】
【請求項１】
時計ケース（３）に装着するか又は該時計ケース（３）自体で構成することができかつ開口部を有する支持部品（１）と、
時計の機構部分（Ｍ）に結合して時計の第１及び第２の機能を制御することができる回転を伝導する部品（１０）と、
ヘッド（５）及び前記ヘッド（５）と一体の延長部（６）を含み、前記支持部品（１）に対して移動可能になるように前記開口部内に取付けられ、前記延長部（６）が前記時計ケース（３）内部に設置された時計の第３の機能のための制御エレメント（２５）と協働することができるようになった竜頭（４）と、
前記伝導部品（１０）及び前記竜頭（４）の延長部（６）を一緒に回転移動させると同時に引出し方向に並進移動させるように作用し、時計にこの装置をはめ込んだ時に、前記竜頭（４）が、第１の安定軸方向位置と該竜頭が引出された第２の安定軸方向位置とを占めることができ、これらの位置においては、前記竜頭（４）によって与えられた前記伝導部品（１０）の回転が、それぞれ前記第１及び第２の機能を制御し、さらに前記竜頭（４）が、前記伝導部品（１０）とは独立してその第１の軸方向位置から前記制御エレメント（２５）を作動させる軸方向位置まで押下げることができるようになった結合手段（１３、１４、１５、１６）と、
前記伝導部品（１０）と前記竜頭ヘッド（５）と間に配置され、前記竜頭（４）の第２の軸方向位置から第１の軸方向位置への変化の間に前記伝導部品（１０）によって生じる抵抗力に打ち勝つのに十分な力を作用させる第１の弾性手段（１７）と、
を含む腕時計用のプッシュ片形竜頭制御装置であって、
前記支持部品（１）と前記竜頭ヘッド（５）との間に配置され、前記竜頭（４）のその第１の軸方向位置から前記制御エレメント（２５）を作動させる位置への変化の間に圧縮されて、該竜頭を押下げることによって作用する応力が止んだ時に該竜頭（４）をその第１の軸方向位置に戻すようにすることができる第２の弾性手段（１８）を、
さらに含むことを特徴とする装置。
【請求項２】
前記第２の弾性手段（１８）によって作用する力が、前記第１の弾性手段（１７）によって作用する力よりも大きいことを特徴とする、請求項１に記載の装置。
【請求項３】
前記第１及び第２の弾性手段が、それぞれ第１（１７）及び第２（１８）の軸方向スプリングで構成されることを特徴とする、請求項１又は請求項２に記載の装置。
【請求項４】
前記支持部品（１）が、前記時計ケース（３）に固定することを意図したパイプであることを特徴とする、請求項１から請求項３のいずれか１項に記載の装置。
【請求項５】
該装置が、前記竜頭ヘッド（５）の内側面と支持パイプ（１）の外側面との間で圧縮された少なくとも１つの環状ガスケット（２４）をさらに含むことを特徴とする、請求項４に記載の装置。
【請求項６】
前記竜頭（４）の延長部（６）が、管状でかつ軸方向に延び、前記伝導部品（１０）が、この延長部内部に取付けられることを特徴とする、請求項１から請求項５のいずれか１項に記載の装置。
【請求項７】
前記延長部（６）が、前記竜頭ヘッド（５）と一体の第１のチューブ（７）と前記第１のチューブ（７）と結合された第２のチューブ（９）とを含むことを特徴とする、請求項６に記載の装置。
【請求項８】
前記結合手段が、前記伝導部品（１０）の回転を伝導するようになった該伝導部品（１０）の外側多角形断面のセグメント（１３）及び前記竜頭（４）の延長部（６）の対応する内側多角形横断面のセグメント（１４）と、引出し方向への並進を伝導するようになった前記伝導部品（１０）の外側肩部（１５）及び前記竜頭（４）の延長部（６）の対応する内側肩部（１６）とを含むことを特徴とする、請求項１から請求項７のいずれか１項に記載の装置。
【請求項９】
前記伝導部品（１０）が、一端部において開口して、時計の伝導ステム（１２）の端部を受けるようになった円柱体であることを特徴とする、請求項１から請求項８のいずれか１項に記載の装置。
【請求項１０】
前記第１及び第２の機能が、それぞれ巻き機能及び設定機能であることを特徴とする、請求項１から請求項９のいずれか１項に記載の装置。
【請求項１１】
前記竜頭ヘッド（５）が、前記時計ケース（３）の開口部（２８）内に設けられた対応する形状部（２７）と協働することを意図した形状部（２６）を含み、前記形状部（２６、２７）が整列した時にのみ、前記竜頭（４）の第１の軸方向位置から前記制御エレメント（２５）を作動させる位置への変化を許すようにすることを特徴とする、請求項１から請求項１０のいずれか１項に記載の装置。
【請求項１２】
請求項１から請求項１１のいずれか１項に記載の制御装置を備えた腕時計。
【発明の詳細な説明】
【技術分野】
【０００１】
本発明は、腕時計用のプッシュ片形竜頭制御装置に関し、より具体的には、
・時計ケースに固定するか又は該時計ケース自体で構成することができかつ開口部を有する支持部品と、
・時計機構部分（ムーブメント）に結合して、それぞれ巻き機能及び設定機能のような時計の第１及び第２の機能を制御することができる回転を伝導する部品と、
・ヘッドと開口部内に取付けられて支持部品に対して移動可能になるようになった該ヘッドと一体の延長部とを含み、延長部が、時計ケース内部に設置された、ストップウォッチの始動、停止、ゼロリセット又はフライバックのような時計の第３の機能の制御エレメントと協働することができるようになった竜頭と、
・伝導部品及び竜頭延長部をそれらが一緒に回転しかつ引出し方向に一体に並進することになるように連動させ、時計にこの装置をはめ込んだ時に、竜頭は、第１の安定軸方向位置と該竜頭が引出された時の第２の安定軸方向位置とを占めることができ、これらの位置においては、竜頭によって与えられた伝導部品の回転が、それぞれ第１及び第２の機能を制御することになり、さらに竜頭は、伝導部品とは独立してその第１の軸方向位置から制御エレメントを作動させる軸方向位置に押下げることができるようになった結合器と、
・伝導部品と竜頭ヘッドと間に配置され、竜頭の第２の軸方向位置から第１の軸方向位置に通過する時の伝導部品の抵抗力に打ち勝つのに十分な力を作用させる第１の弾性手段と、
を含むプッシュ片形竜頭制御装置に関する。
【背景技術】
【０００２】
そのような装置が、フランス特許第ＦＲ９２３，９２２号文献に記載されている。この装置は、竜頭がここでは巻き位置である第１の軸方向位置から制御エレメントを作動させる位置つまり押下げ位置に変化する時に、竜頭ヘッドと回転を伝導する部品との間に配置された弾性手段によって作用する比較的大きな応力を時計の機構部分が受けるという欠点を有する。プッシュ片形竜頭の使用を繰り返すと、この応力により、機構部分の一部の部品が磨耗する傾向があり、機構部分の破壊すら引き起こすおそれがある。
【０００３】
【特許文献１】フランス特許第ＦＲ９２３，９２２号
【発明の開示】
【課題を解決するための手段】
【０００４】
本発明は、この欠点を取り除くことを目指しており、この目的のために、支持部品と竜頭ヘッドとの間に配置された第２の弾性手段を設け、竜頭が第１の軸方向位置から制御エレメントを作動させる位置に変化する時に、この第２の弾性手段を第１の弾性手段と同様に圧縮して、竜頭を押下げることによって作用する応力が止んだ時に竜頭をその第１の軸方向位置に戻すことができるようにする。
【０００５】
従って、本発明では、制御エレメントを作動させる位置（押下げ位置）から第１の軸方向位置（中立位置又は巻き位置）に竜頭を戻す復元力は、第１及び第２の弾性手段の間で分担される。従って、第１の弾性手段は、フランス特許第ＦＲ９２３，９２２号文献の場合の力よりも弱い力を作用させることができる。第１の軸方向位置から制御エレメントを作動させる位置への変化の間に、第２の弾性手段は、伝導部品上ではなくてこの装置の支持部品上に着座しているので、機構部分は低い強さの応力を受ける。この応力の強さを最小にするために、第１の弾性手段によって作用する力は、第２の軸方向位置から第１の軸方向位置への変化の間に伝導部品によって生じる抵抗力に打ち勝つのに丁度十分な大きさであり、この力は、第２の弾性手段によって作用する力よりも小さく、従って第２の弾性手段が、制御エレメントを作動させる位置から第１の軸方向位置に竜頭を戻す主復元力を供給するのが好ましい。
【０００６】
本発明によるプッシュ片形竜頭制御装置の特定の実施形態は、従属請求項３〜１１に記載している。
本発明はまた、上に記載したようなプッシュ片形竜頭制御装置をはめ込んだ腕時計を提供する。
【０００７】
本発明のその他の特徴及び利点は、添付図面を参照しながら行う以下の詳細な記述から明らかになるであろう。
【発明を実施するための最良の形態】
【０００８】
図１〜図４を参照すると、本発明によるプッシュ片形竜頭制御装置は特に、時計ケースの本体（胴）３の壁を貫通したボア２内に打ち込まれた固定支持及び案内パイプ１と、プッシュ片形竜頭４とを含み、プッシュ片形竜頭４は、竜頭ヘッド５及びこの竜頭ヘッド５と一体の管状延長部６で構成される。延長部６は、２つの部品、つまりその２つの端部の１つが竜頭ヘッド５のブッシュ８上に嵌装されたプッシュ片形チューブ７と、このプッシュ片形チューブ７の他端部内に打ち込まれた延長チューブ９とで構成される。延長部６は、固定パイプ１内で移動可能になるように取付けられる。従って、以下において明らかになるように、時計における異なる機能を制御するために、ユーザは、竜頭４を回転させかつ軸方向に移動させることができる。
【０００９】
ピストン又はシリンダの形状をした回転を伝導する部品１０が、プッシュ片形チューブ７内に取付けられる。この伝導部品１０は、時計の巻き及び設定ステム１２のねじ付き端部を受けるブラインドねじ穴１１を有しており、ステム１２は、従来通りの方式で時計の機構部分Ｍに結合されかつ時計ケースのボア２を貫通しており、従って伝導部品１０を該ステムと連動させる。
【００１０】
伝導部品１０及びプッシュ片形チューブ７上に設けられた結合手段は、竜頭４が伝導部品１０の回転と、引出し方向つまり竜頭４及び部品１０の時計ケースからの距離を増大させる方向での並進とを伝導するのを可能にする。図示した実施例では、これらの結合手段は、回転を伝導するようになった伝導部品の外側多角形（例えば、六角形）横断面を有するセクション１３とプッシュ片形チューブ７の対応する内側多角形横断面を有するセクション１４とを含むと共に、引出し方向への並進を伝導するようになった伝導部品１０の外側肩部１５とプッシュ片形チューブ７の対応する内側肩部１６とを含む。
【００１１】
本発明による装置はさらに、プッシュ片形チューブ７の内側において竜頭ヘッド５の下面１９と伝導部品１０の閉鎖端部２０との間に、またプッシュ片形チューブ７の外側において竜頭ヘッド５の下面１９と固定パイプ１の肩部２１との間に軸方向に配置された第１及び第２のヘリカルスプリング１７、１８を含む。第１のスプリング１７は、竜頭ヘッド５のブッシュ８によって形成された円筒形座部内に自由に取付けられる。第２のスプリング１８は、プッシュ片形チューブ７の外側面２２、固定パイプ１の内側面の端部セグメント２３及び固定パイプ１の肩部２１によって形成された環状座部内に自由に取付けられる。
【００１２】
竜頭ヘッド５の内側面と固定パイプ１の外側面との間に圧縮した状態で保持された好ましくは円環状の２つの環状ガスケット２４は、竜頭４の全ての位置において装置の防水性を保証する。
【００１３】
伝導部品１０を巻き及び設定ステム１２と連動させかつ竜頭４を伝導部品１０と連動させた場合、竜頭４及び伝導部品１０は、図１に示すような中立軸方向位置つまり巻き位置と、図２に示すような引出し軸方向位置つまり設定位置とを取ることができる。これら２つの軸方向位置は、時計の機構部分Ｍによって伝統的な方法で割り出される。中立位置においては、スプリング１７及び１８は両方とも弛緩している。中立位置から引出し位置への変化は、ユーザが竜頭４を引出すことによってもたらされ、竜頭４は、肩部１５及び１６の協働によって伝導部品１０を随伴する。その後ユーザが竜頭４を中立位置に戻すために竜頭４を押下げた場合、伝導部品１０並びに巻き及び設定ステム１２は、これらの要素１０及び１２によって生じる抵抗力、つまり機構部分Ｍ内部の巻き及び設定メカニズム内で生じる抵抗力、すなわちより具体的には機構部分Ｍの設定レバージャンパ及びレバースプリング（図示せず）の群から生じる抵抗力に打ち勝つのに十分な大きさの力を作用させる第１のスプリング１７によって押下げられることになる。
【００１４】
竜頭４はさらに、伝導部品１０及び巻き及び設定ステム１２とは独立して、その中立位置から「押下げ」位置と呼ばれる位置に到達するまで時計ケースの方向に軸方向に移動させることができ、そこで移動不能状態になる（図３）。この押下げ位置において、竜頭４又はより正確には延長チューブ９は、時計ケース内部の制御エレメント２５を作動させることになる。この制御エレメント２５は、例えばクロノグラフの始動レバー、停止レバー、ゼロリセットレバー又はフライバックレバー、或いは時間帯変更レバー又はその他の類似の要素とすることができる。
【００１５】
竜頭４の中立位置から押下げ位置への変化の間に、スプリング１７及び１８は圧縮された状態になる。ユーザが竜頭４に作用させる押下げ力が止むと直ちに、スプリング１７及び１８は、弛緩して竜頭４をその中立位置（図１）に戻す。従って竜頭４をその中立位置に戻す復元力は、スプリング１７及び１８間で分担されることになり、竜頭４の押下げ位置においては、部品１０及び１２並びに従って機構部分Ｍは、第２のスプリング１８が固定パイプ１に対して着座しているために、第２のスプリング１８によって作用する応力を受けないことに注目されたい。
【００１６】
さらに、引出し位置から中立位置への変化の間に、機構部分Ｍによって生じる抵抗力に打ち勝つのに十分な大きさの力を作用させる第１のスプリング１７を有することによって、伝導部品１０及びステム１２をそれらの引出し位置からそれらの中立位置に戻すために、ユーザは、竜頭４のプッシュ片形機能の望ましくない作動を引き起こすことになる操作、つまり動作竜頭４を完全に押下げて戻す操作は必要ない。
【００１７】
第１のスプリング１７は、竜頭４の引出し位置から中立位置への変化の間に機構部分Ｍによって生じる抵抗力に打ち勝つのに丁度十分な大きさの力を作用させ、他方、第２のスプリング１８は、第１のスプリング１７の力よりも大きい力を作用させ、従って竜頭４をその中立位置に戻す主復元力を構成するのが好ましい。このようにして、竜頭４がその中立位置から押下げられる時に機構部分Ｍが受ける応力が、最小化される。
【００１８】
本発明の別の特徴によると、竜頭ヘッド５と、竜頭４がその押下げ位置にある時に竜頭ヘッド５がその中に嵌合する時計ケースのボア２の最大径の末端セグメント２８内とに、第１及び第２の形状部２６、２７が設けられる。これらの形状部２６、２７は、それらが整列した時にのみ、その中立位置からその押下げ位置への竜頭４の変化を許し、従って制御エレメント２５のあらゆる不時の作動を回避する。図示した実施例では、これらの形状部は、竜頭ヘッド５の周辺部上に設けられた竜頭４の軸線と平行な溝２６と、時計ケース内のボアの最大径セグメント２８の側面に設けられた突起２７とである。ユーザに対してこれらの形状部２６、２７の位置を表示するために、竜頭ヘッド５と時計ケースとに参照マークを加えることができる。
【００１９】
上記のような本発明は、フランス特許第ＦＲ９２３，９２２号文献によるプッシュ片形竜頭制御装置に勝る特に下記のような幾つかの利点を有する。
・竜頭４をその中立位置から押下げる時に、機構部分Ｍは、第１のスプリング１７によって作用する応力のみを受け（第２のスプリング１８によって作用する応力は受けない）、この第１のスプリング１７は、竜頭４をその押下げ位置からその中立位置に戻す主復元力を作用させることがその機能ではないために、フランス特許第ＦＲ９２３，９２２号文献による装置内で使用されているスプリングよりもより強くないものとすることができ、そのために竜頭４を押下げる時に、機構部分Ｍが受ける応力の強さを低減することが可能になるという、上に指摘した事実。
・この装置は、交換が非常に容易な単に２つのみのガスケット（円環状ガスケット２４）（さらに、これらのガスケットの１つのみを交換すれば十分なものとすることができる）によって、完全な防水及び防塵性になる。さらに、この防水及び防塵性は、竜頭４のあらゆる軸方向位置において得られる。
・竜頭４の延長部９の２つの部品（プッシュ片形チューブ７及び延長チューブ９）の設計は、延長チューブ９の長さを適切に選択することによって、この延長部９の長さを容易かつより安価に機構部分Ｍの制御エレメント２５の経路長さに適合させる。
・制御エレメント２５のあらゆる不時の作動は、設けられた形状部２６、２７によって阻止される。
【００２０】
上記において、単に実施例に関してのみ本発明を説明してきた。特許請求した本発明の範囲から離れずに、変更を加えることができることは明らかである。例えば、固定パイプ１は、省くことができる。その場合、竜頭４の延長部６は、時計ケースのボア２内に取付けられることになり、またスプリング１８は、竜頭ヘッド５とボア２の最大径のセグメント２８によって形成された肩部との間に配置されることになる。別の変更は、竜頭４（ヘッド５及び延長部９）を単一の部品として実施するものとすることができる。伝導部品１０及びステム１２の群もまた、単一の部品として実施するものとすることができる。もしもそのような機能が機構部分の特性によって可能又は必要になる場合には、解放可能な方式にて竜頭４をその押下げ位置において固定するために、差し込みシステムのような固定手段も同じく良好に設けることができる。この最後に述べた実施においては、形状部２６、２７は省かれるか、或いは固定手段に改造されることになる。
【図面の簡単な説明】
【００２１】
【図１】プッシュ片形竜頭がその巻き位置（中立位置）にある状態で示した、時計ケース上に取付けられた本発明によるプッシュ片形竜頭制御装置の縦断面図である。
【図２】プッシュ片形竜頭が設定位置（引出し位置）にある状態で示した、本発明によるプッシュ片形竜頭制御装置の縦断面図である。
【図３】プッシュ片形竜頭が押下げ位置にある状態で示した、本発明によるプッシュ片形竜頭制御装置の縦断面図である。
【図４】本発明による装置及び関連した時計の部品の分解斜視図である。
【図５】図４の角度とは異なる角度で見た、本発明による装置と関連した時計の部品の斜視図である。
【図１】
2007509339.tif 000003
【図２】
2007509339.tif 000004
【図３】
2007509339.tif 000005
【図４】
2007509339.tif 000006
【図５】
2007509339.tif 000007
【国際調査報告】
2007509339.tif 000008
2007509339.tif 000009
2007509339.tif 000010
2007509339.tif 000011